【手続補正書】
【提出日】平成20年9月10日(2008.9.10)
【手続補正１】
【補正対象書類名】明細書
【補正対象項目名】特許請求の範囲
【補正方法】変更
【補正の内容】
【特許請求の範囲】
【請求項１】  光学フィルタの光路に対する進退操作が可能なレンズ鏡筒であって、
光軸回りで回動可能であり、前記光学フィルタを進退移動させるためのカム部を備えたカム板と、
鏡筒全周を囲むリング状の外装部材であって、前記カム板を鏡筒外部から回動させるために回動操作が可能なフィルタ操作環とを有することを特徴とするレンズ鏡筒。
【請求項２】  前記光学フィルタを保持し、光路に対して前記光学フィルタを進退させるよう回動可能なフィルタ保持部材を備えるとともに、このフィルタ保持部材に前記カム板のカム部と係合する係合部が設けられており、
前記フィルタ保持部材において、前記係合部が前記フィルタ保持部材の回動軸の位置よりも光学フィルタ側に設けられていることを特徴とする請求項１に記載のレンズ鏡筒。
【請求項３】  前記光学フィルタを複数有し、前記カム板の回動により前記複数の光学フィルタが選択的に光路に対して進退することを特徴とする請求項１に記載のレンズ鏡筒。
【請求項４】  操作スイッチとこの操作スイッチの操作に応じて変倍および焦点調節のうち少なくとも一方のサーボ駆動を行う駆動機構とを含むドライブユニットが鏡筒外周のうち像面側から見て一方の側面部分に装着可能であり、光路外に退避した前記光学フィルタを収容するフィルタ収容部が、鏡筒外周のうち像面側から見て前記ドライブユニットの装着側と同じ側に突出するように設けられていることを特徴とする請求項１に記載のレンズ鏡筒。
【請求項５】  前記フィルタ操作環の回動をロックするロック機構と、前記フィルタ操作環の周上に設けられ、前記ロック機構を解除する解除操作部材とを有し、
前記光学フィルタが光路から退避した状態で、前記解除操作部材が光軸方向から見て前記フィルタ収容部の周方向端部近傍に重なる位置に設けられていることを特徴とする請求項４に記載のレンズ鏡筒。
【請求項６】  前記カム板の光軸方向前後に配置された２つの鏡筒構成部材のうち一方の鏡筒構成部材の内径側に、他方の鏡筒構成部材との結合のために用いられる、光軸に向かって突出する突出片部が形成されており、
前記突出片部と前記一方の鏡筒構成部材の光軸方向端面との間に形成されるスペース内に前記カム板が配置されていることを特徴とする請求項１に記載のレンズ鏡筒。
【請求項７】  前記一方の鏡筒構成部材の光軸方向端面における前記突出片部に対向する位置に、前記２つの鏡筒構成部材を結合させるための工具を挿入する工具穴部が形成されており、
前記工具穴部は組立完了状態において前記フィルタ操作環によって塞がれていることを特徴とする請求項６に記載のレンズ鏡筒。
【請求項８】  前記カム板に、このカム板の光軸方向前後に配置された２つの鏡筒構成部材の結合部分を避けるための開口部を形成したことを特徴とする請求項１に記載のレンズ鏡筒。
【請求項９】  前記カム板に、このカム板の光軸方向前後に配置された２つの鏡筒構成部材のうち少なくとも一方に隣接する鏡筒構成部材を結合させる際に使用される工具を挿入可能な開口部を形成したことを特徴とする請求項１に記載のレンズ鏡筒。
【請求項１０】  請求項１から９のいずれか一項に記載のレンズ鏡筒と、このレンズ鏡筒が装着されるビデオカメラ本体とを有することを特徴とするビデオカメラ。
【手続補正２】
【補正対象書類名】明細書
【補正対象項目名】００１０
【補正方法】変更
【補正の内容】
【００１０】
これにより、光学フィルタ（光学フィルタを保持するフィルタ保持部材）におけるカム板のカム部と係合する係合部を、光路外であればある程度自由に設定することが可能となる。例えば、フィルタ保持部材において、上記係合部をフィルタ保持部材の回動軸の位置よりも光学フィルタ側に設けることも可能となる。このため、従来のように、フィルタ保持部材をその回動中心から光学フィルタ側とは反対側に大きく延ばして連動レバーに連結する必要がなくなり、その分、レンズ鏡筒を小径化することが可能となる。
【手続補正３】
【補正対象書類名】明細書
【補正対象項目名】００１２
【補正方法】変更
【補正の内容】
【００１２】
また、レンズ鏡筒の外周のうち像面側から見て一方の側面部分（例えば、右側面部分）に、ズーミングやフォーカシングのサーボ駆動を行うためのドライブユニットが装着される場合に、光路外に退避した光学フィルタを収容するフィルタ収容部を、鏡筒外周のうち像面側から見て上記ドライブユニットの装着側と同じ側に突出するように設けるのがよい。
【手続補正４】
【補正対象書類名】明細書
【補正対象項目名】００１７
【補正方法】変更
【補正の内容】
【００１７】
【発明の実施の形態】
（第１実施形態）
図６には、本発明の第１実施形態である前玉フォーカスタイプのズームレンズ鏡筒の外観構成を示している。このズームレンズ鏡筒の像面側から見て右側面部分には、撮影者が右手で操作可能なズームスイッチ６１や不図示のフォーカススイッチ等（操作スイッチ）と、これらスイッチの操作に応じてズーミングやフォーカシング等のサーボ駆動を行う不図示の駆動機構等を有するドライブユニット６０が装着されている。
【手続補正５】
【補正対象書類名】明細書
【補正対象項目名】００２１
【補正方法】変更
【補正の内容】
【００２１】
また、１５はズーム操作環であり、固定鏡筒５の内周に配置されたカム環６と一体回転可能に連結されている。バリエーター鏡筒４およびコンペ鏡筒８に設けられたコロ４ａ，８ａは、カム環６に形成されたカム溝６ａ，６ｂに係合している。このため、ズーム操作環１５を、その外周に形成されたギヤ部１５ｇを通じてドライブユニット６０からの駆動力で光軸回りで回転駆動したり、マニュアルで回転操作したりすることにより、バリエーター鏡筒４（バリエーターレンズ３）およびコンペ鏡筒８（コンペンセーターレンズ７）が光軸方向に進退してズーミングが行われる。
【手続補正６】
【補正対象書類名】明細書
【補正対象項目名】００２２
【補正方法】変更
【補正の内容】
【００２２】
なお、固定鏡筒５は、アフォーカル鏡筒２１を挟んで、リレー系レンズ１１〜１４を収容する後部ベース鏡筒３１に結合されている。後部ベース鏡筒３１の外周には、回転ベース筒３６が配置され、さらに回転ベース筒３６の外周にはフィルター操作環３２が回転可能に取り付けられている。
【手続補正７】
【補正対象書類名】明細書
【補正対象項目名】００２６
【補正方法】変更
【補正の内容】
【００２６】
フィルター枠Ａ２２とフィルター枠Ｂ２３には、これらの後方に配置されたフィルター駆動カム板１６（図５参照）のカム溝部１６ａ，１６ｂに係合するカムピン２２ａ，２３ａが固定されている。また、フィルター枠Ａ２２，Ｂ２３の基端部には、アフォーカル鏡筒２１の内側後端面に設けられた円柱筒部２１ｄ，２１ｅの外周面と回動可能に嵌合するスリーブ２２ｂ，２３ｂが取り付けられており、ビス５１，５２によって円柱筒部２１ｄ，２１ｅからスリーブ２２ｂ，２３ｂの抜けが防止される。なお、フィルター枠Ａ２２とフィルター枠Ｂ２３におけるカムピン２２ａ，２３ａの固定位置は、スリーブ２２ｂ，２３ｂの取り付け位置よりもフィルター側（先端側）である。
【手続補正８】
【補正対象書類名】明細書
【補正対象項目名】００２７
【補正方法】変更
【補正の内容】
【００２７】
２６，２７はフィルター枠Ａ２２，Ｂ２３の最基端部に取り付けられた両端付勢バネであり、各フィルター枠Ａ２２，Ｂ２３を、光路内へのフィルター進入位置を決める、アフォーカル鏡筒２１の後端面に設けられたストッパー２１ａと光路外への退避位置を決めるストッパー２１ｂ，２１ｃに選択的に突き当てるように付勢する。
【手続補正９】
【補正対象書類名】明細書
【補正対象項目名】００３０
【補正方法】変更
【補正の内容】
【００３０】
さらに、フィルター駆動カム板１６には、フィルターＡ２８，Ｂ２９の光路内への進入を検知するためのフォトインタラプタ１９ａ，１９ｂを作動させる遮光片部１６ｃが形成されている。
【手続補正１０】
【補正対象書類名】明細書
【補正対象項目名】００３２
【補正方法】変更
【補正の内容】
【００３２】
また、後部ベース鏡筒３１のフランジ部の前端面における外周部４箇所には、光軸中心に向かって突出する突出片部３１ａ，３１ｂ，３１ｃ，３１ｄが形成されている。これら突出片部３１ａ〜３１ｄの前面には、アフォーカル鏡筒２１の内側後端面に形成された円柱筒部（２１ｂ，２１ｃ）の端面が接し、突出片部３１ａ〜３１ｄの後方から、これら突出片部３１ａ〜３１ｄに形成された穴部を通されたビスが円柱筒部（２１ｂ，２１ｃ）にネジ込まれる。これにより、アフォーカル鏡筒２１と後部ベース鏡筒３１とが結合される。
【手続補正１１】
【補正対象書類名】明細書
【補正対象項目名】００３４
【補正方法】変更
【補正の内容】
【００３４】
そして、図５に示すように、後部ベース鏡筒３１のフランジ壁面３１ｊにおける突出片部３１ａ〜３１ｄと対向する部分には開口部（工具穴部）３１ｇが形成されており、アフォーカル鏡筒２１と後部ベース鏡筒３１とを結合させる際に開口部３１ｇの後方からビス止め用の工具を挿入することができるようになっている。
【手続補正１２】
【補正対象書類名】明細書
【補正対象項目名】００３６
【補正方法】変更
【補正の内容】
【００３６】
フィルター駆動カム板１６の外周部には、このフィルター駆動カム板１６を後部ベース鏡筒３１のＵ字形状部３１ｆ内に前方から組み込む際に突出片部３１ａ〜３１ｄを避けるための切り欠き形状部１６ｅが形成されている。また、フィルター駆動カム板１６の外周部には、アフォーカル鏡筒２１と固定鏡筒５とのビス結合時に工具を避けるための切り欠き形状部１６ｇも形成されている。
【手続補正１３】
【補正対象書類名】明細書
【補正対象項目名】００３７
【補正方法】変更
【補正の内容】
【００３７】
また、フィルター枠が退避した状態でフィルター枠自身で固定鏡筒５とアフォーカル鏡筒２１のビス結合穴を隠す場合は、フィルター枠が進入した状態でのカム位置で工具用の切り欠きを合わせて設ける。
【手続補正１４】
【補正対象書類名】明細書
【補正対象項目名】００４１
【補正方法】変更
【補正の内容】
【００４１】
また、アフォーカル鏡筒２１における像面側から見て上下位置を含む右側の部分には、内部に光路に対して退避したフィルターＡ２８，Ｂ２９およびフィルター枠Ａ２２，Ｂ２３を収納するフィルタ収納部２１ｆが、鏡筒径方向外方に突出するように形成されている。
【手続補正１５】
【補正対象書類名】明細書
【補正対象項目名】００４７
【補正方法】変更
【補正の内容】
【００４７】
図４に示すように、回転ベース３６の前側円筒部には、周方向に延びるガイド溝部３６ａが形成されており、このガイド溝部３６ａの両端部と中間部（光軸中心として２２．５°ごとの位置）には、フィルターロック軸３５の下端部に形成された大径部３５ａとほぼ同径のストッパー穴３６ｂが形成されている。フィルターロック解除ボタン３３がフィルター操作環３２の径方向内方に向かって押圧操作されておらず（非操作状態）、フィルターロック軸３５の大径部３５ａがストッパー穴３６ｂに係合すると、フィルター操作環３２の回動がロックされる。
【手続補正１６】
【補正対象書類名】明細書
【補正対象項目名】００５８
【補正方法】変更
【補正の内容】
【００５８】
また、後部ベース鏡筒３１の円筒部上に配置された回転ベース３６の後側円筒部の外周には、締め付けリング３７が配置されており、図４および図８に示した締め付けノブ４６によって回転ベース３６の後側円筒部に対して固定される。
【手続補正１７】
【補正対象書類名】明細書
【補正対象項目名】００６４
【補正方法】変更
【補正の内容】
【００６４】
また、ロックボタン４０をマクロリング３９の径方向内方に向かって押し込むことで、ロックシャフト３８の大径部３８ａとストッパー穴３７ｂとの係合が外れ、締め付けノブ４６を緩めることなくマクロリング３９を回転させることができる。そして、マクロリング３９を回転させることで、ヘリコイド鏡筒５５を光軸方向前方に繰り出してマクロ撮影状態とすることができる。
【手続補正１８】
【補正対象書類名】明細書
【補正対象項目名】００６８
【補正方法】変更
【補正の内容】
【００６８】
３２ｂはフィルター操作環３２の外周に刻印された指標であり、アフォーカル鏡筒２１の外周に刻印されたフィルターの進退状態を示す指標２１ｇのいずれかに指標３２ｂが合うことで、撮影者にフィルターの進退状態を確認させることができる。
【手続補正１９】
【補正対象書類名】明細書
【補正対象項目名】００７０
【補正方法】変更
【補正の内容】
【００７０】
これらの図において、１０１はフォーカスレンズ群であり、フォーカス操作リング１０７に保持されている。フォーカス操作リング７の内周には、フォーカシングのためのヘリコイド部１０７ａが形成されている。
【手続補正２０】
【補正対象書類名】明細書
【補正対象項目名】００７５
【補正方法】変更
【補正の内容】
【００７５】
１１２はリレー位置調整操作環であり、連動ピン１２６を介して後リレーレンズ保持枠１１５に形成された、光軸方向に延びる縦溝１１５ｂに連結されている。後リレーレンズ保持枠１１５の外周にはヘリコイド部１１５ａが形成されており、このヘリコイド部１１５ａは、後部固定鏡筒１１０の内周に形成されたヘリコイド部１１０ａに係合している。このため、リレー位置調整操作環１１２を光軸回りで回転させると、その回転が後部固定鏡筒１１０に伝達され、後部固定鏡筒１１０は回転しながら光軸方向に移動する。これにより、バックフォーカスを調整することができる。
【手続補正２１】
【補正対象書類名】明細書
【補正対象項目名】００７６
【補正方法】変更
【補正の内容】
【００７６】
なお、リレー位置調整操作環１１２には、固定ネジ１２７が取り付けられており、この固定ネジ１２７の締め付けによってリレー位置調整操作環１１２を後部固定鏡筒１１０に対して固定することができる。
【手続補正２２】
【補正対象書類名】明細書
【補正対象項目名】００８３
【補正方法】変更
【補正の内容】
【００８３】
また、１３０はフィルター操作環であり、後部固定鏡筒１１０の前部外周上に回動可能に取り付けられている。このフィルター操作環１３０は、ＮＤカム板１２１の係合部１２１ａ（図９）と係合することによって、ＮＤカム板１２１を一体回転可能に連結されている。
【手続補正２３】
【補正対象書類名】明細書
【補正対象項目名】００８８
【補正方法】変更
【補正の内容】
【００８８】
１３１ａ，１３２ａは、フィルター枠１３１，１３２に形成されたばね掛け用の曲げ部であり、これら曲げ部１３１ａ，１３２ａには、両端付勢バネ１３３ａ，１３３ｂの一端が掛けられている。なお、両端付勢バネ１３３ａ，１３３ｂの他端は固定部（例えば、第２実施形態にいう中間固定鏡筒１０９）に掛けられている。
【手続補正２４】
【補正対象書類名】明細書
【補正対象項目名】００８９
【補正方法】変更
【補正の内容】
【００８９】
これら両端付勢バネ１３３ａ，１３３ｂは、各フィルター枠１３１，１３２を、光路内へのフィルター進入位置を決める、固定部に設けられたストッパー１３４と光路外への退避位置を決めるストッパー１３５，１３６に選択的に突き当てるように付勢する。
【手続補正２５】
【補正対象書類名】図面
【補正対象項目名】図２
【補正方法】変更
【補正の内容】
【図２】
2003084183.tif 000001
【手続補正２６】
【補正対象書類名】図面
【補正対象項目名】図４
【補正方法】変更
【補正の内容】
【図４】
2003084183.tif 000002
【手続補正２７】
【補正対象書類名】図面
【補正対象項目名】図７
【補正方法】変更
【補正の内容】
【図７】
2003084183.tif 000003
【手続補正２８】
【補正対象書類名】図面
【補正対象項目名】図９
【補正方法】変更
【補正の内容】
【図９】
2003084183.tif 000004